(57)【要約】      （修正有）【課題】即効性があり、かつ消臭機能を長期に亘って継続できる消臭シート、及び、選択消臭性ある消臭シート、すなわちアンモニア、酢酸又はノネナール等の嫌悪な臭いのみを消臭可能な消臭シートを提供する。【解決手段】消臭シート１００は、基材が天然繊維、合成繊維又は両繊維を混紗してなる不織布１０であり、不織布１０には消臭成分２０及び／又は香料成分をグラフト重合法による化学的結合により担持させてなることを特徴としている。繊維１０ａのグラフト鎖は繊維表面に出ているので、接触効率がよく、各種の悪臭成分を急速に吸収して無臭成分とする。【選択図】図１
0003190172.tif 000002
【実用新案登録請求の範囲】
【請求項１】
基材が天然繊維、合成繊維又は両繊維を混紗してなる不織布であり、
前記不織布には消臭成分及び／又は香料成分をグラフト重合法による化学的結合により担持させてなる、
ことを特徴とする消臭シート。
【請求項２】
基材が天然繊維、合成繊維又は両繊維を混紗してなる不織布であり、
前記不織布には消臭成分及び／又は香料成分をグラフト重合法による化学的結合により担持させてなり、
前記不織布の底面に両面接着剤を塗布すると共に、
前記両面接着剤の下面に剥離シートを貼付してなる、
ことを特徴とする請求項１に記載された消臭シート。
【請求項３】
前記消臭成分がカルボキシル基又はスルホ基であることを特徴とする、請求項１又は請求項２に記載された消臭シート。
【請求項４】
前記消臭シートには所定形状に剥離可能な切取線が刻設されている、
ことを特徴とする請求項２又は請求項３に記載された消臭シート。
【請求項５】
前記消臭シートは、所定の巾寸と長さに切断装置によりカットされてテープ状として芯管に巻回されてなることを特徴とする、請求項２〜請求項４の何れかに記載された消臭シート。
【請求項６】
前記請求項１に又は請求項２に記載された消臭シートであって、
当該消臭シートを衣料品、インテリア用品、スポーツ衣料、寝具類、ぬいぐるみ、介護用品、ペット用品、トイレ用品等の一部又は全体に編組又は組み込んでなる、
ことを特徴とする、消臭シートの加工品。
【考案の詳細な説明】
【技術分野】
【０００１】  本考案は消臭シート及びその加工品に係り、より詳しくは消臭成分及び／又は香料成分を化学的結合により不織布に担持させてなり、即効性があり、かつ長期に亘る消臭機能を発揮する不織布を素材とした消臭シート及びその加工品に関する。
【背景技術】
【０００２】  人間の五感中、最も敏感な感覚は嗅覚とされている。日常生活においては各種のにおいがあり、良いにおいを匂い、香り又は芳香と表記し、呼称している。悪いにおいを臭い又は悪臭と表記し、呼称する。香りは本人や周りの人の気分を良くする反面、悪臭は逆の作用を起こし、ときには頭痛のもとにもなる。臭気又は悪臭の発生源は各種あり、悪臭には大別して３タイプがあるとされている。その１は、体臭や汗などの脂肪酸系であり、その２は、尿や各種の生臭さなどの窒素化合物系、その３は、糞便などの硫黄化合物系である。【０００３】  人体における主な臭気発生源としては、発汗作用が顕著な首すじ（頸部）、脇部や足指などがある。脇部や足指は衣類や靴下で通気が閉塞されるためである。また、近年、加齢にともなって発生する、中高年層に特有の体臭、いわゆる加齢臭の存在も注目されている。加齢臭の発生には、ヒトの中高年齢層の皮脂中に増加するノネナールやオクテナールなどの不飽和基を含む物質が深く関わることが指摘されている。さらにヒトの身体における加齢臭が最も強い部位は、首すじいわゆる頸部後部であることが、ごく最近の医学分野における研究で判明したことがマスメディア等で報道されている。【０００４】  日常生活における人体以外の臭気発生源としては、衣料品、インテリア用品、寝具類、ペット用品やトイレ等々があり、上記の臭気（悪臭）を除去するために多くの提案がなされている。例えば、脇臭等を除くことを課題とした特許文献１（第１頁、図１参照）の「脇部の汗取りパッド」、足や脇部の消臭を目的の特許文献２（第１頁、図１参照）の「足・脇消臭及び芳香シート」、加齢臭を消臭するための特許文献３（第１頁、図１参照）の「加齢臭消臭剤」、衣類の消臭、除湿を課題とした特許文献４（第１頁、図１参照）の「消臭除去具」等々である。【０００５】  臭気の消臭法には大別して４の方法があるとされている。
その１は、化学的消臭法で、悪臭元の成分を消臭剤の成分と化学反応させ、無臭の成分にする方法である。この消臭法の長所は、消臭容量（吸着容量）が比較的大きく、悪臭原因物質の再放出が極めて起きにくいとされている。
その２は、物理的消臭法で、これは悪臭元の成分を抑え込んだり、包み込んだりして、臭いを封じ込める方法で、複数の悪臭原因物質の消臭を同時に行うことが比較的に容易であるが、悪臭原因物質の再放出が起きやすいという大きな欠点が指摘されている。
その３は、生物的消臭法で、抗菌剤などを使い繁殖を抑止する方法や微生物などにより、バクテリアを分解してしまう方法である。
その４は、感覚的消臭法で、悪臭を芳香成分で包み込む方法で、芳香成分を強くして悪臭をカムフラージュするマスキング方法と、悪臭元の化学成分を良い香りの元となる構成成分に取り込んでしまうペアリングという方法である。【０００６】  上記の特許文献１〜特許文献６は、いずれも物理的消臭法ないしは感覚的消臭法に属するもので、悪臭原因物質の再放出が起きやすいという大きな欠点を払拭することができない。換言すれば、物理的消臭法ないし感覚的消臭法は、一時的な消臭法でその消臭機能は漸次劣化していくものである。
【先行技術文献】
【特許文献】
【０００７】
【特許文献１】特開平８−２２６００２号公報
【特許文献２】実用新案登録第３１２４５２４号公報
【特許文献３】特開２０１１−８８８４４号公報
【特許文献４】特開２００２−１６５６９３号公報
【考案の概要】
【考案が解決しようとする課題】
【０００８】  そこで、本願出願人は、日常生活におけるヒト又は各種の臭気（悪臭）には、化学的消臭法が最適と考え、グラフト重合法に注目し、鋭意検討を重ねて本考案を完成することができた。
本考案の第１課題は、即効性があり、かつ消臭機能を長期に亘って継続できる消臭シートを提供することにある。
第２課題は、選択消臭性ある消臭シート、すなわちアンモニア、酢酸又はノネナール等の嫌悪な臭いのみを消臭可能な消臭シートを提供することにある。
第３課題は、臭気発生源ないし発生源近傍に適する形状又は／及び大きさの消臭シートを提供することにある。
第４課題は、使い勝手がよく、かつ強い消臭力と洗濯耐久性のある消臭シートを提供することにある。
第５課題は、日常生活における嫌悪な臭いから解放され、快適な生活をもたらす消臭シートを提供することにある。
【課題を解決するための手段】
【０００９】  課題を解決するための手段は、本願、実用新案登録請求の範囲の各請求項に記載の考案であり、その具体的な解決手段は、以下の通りである。【００１０】  上記課題を解決するための第１の考案は、請求項１に記載の考案であり、
基材が天然繊維、合成繊維又は両繊維を混紗してなる不織布であり、
前記不織布には消臭成分及び／又は香料成分をグラフト重合法による化学的結合により担持させてなる、
ことを特徴としている。【００１１】  上記課題を解決するための第２の考案は、請求項２に記載の考案であり、
基材が天然繊維、合成繊維又は両繊維を混紗してなる不織布であり、
前記不織布には消臭成分及び／又は香料成分をグラフト重合法による化学的結合により  担持させてなり、前記不織布の底面に両面接着剤を塗布すると共に、前記両面接着剤の  下面に剥離シートを貼付してなる、ことを特徴としている。【００１２】  上記課題を解決するための第３の考案は、請求項３に記載の考案であり、
請求項１又は請求項２に記載した消臭シートにあって、前記消臭成分がカルボキシル基又はスルホ基であることを特徴としている。【００１３】  上記課題を解決するための第４の考案は、請求項４に記載の考案であり、
請求項２又は請求項３に記載した消臭シートであって、前記消臭シートには所定形状に剥離可能な切取線が刻設されている、ことを特徴としている。【００１４】  上記課題を解決するための第５の考案は、請求項５に記載の考案であり、
請求項２〜請求項４の何れかに記載した消臭シートであって、
前記消臭シートは、所定の巾寸と長さに切断装置によりカットされてテープ状として芯管に巻回されてなる、ことを特徴としている。【００１５】  上記課題を解決するための第６の考案は、請求項６に記載の考案であり、
請求項１に又は請求項２に記載された消臭シートであって、
当該消臭シートを衣料品、インテリア用品、スポーツ衣料、寝具類、ぬいぐるみ、介護用品、ペット用品、トイレ用品等の一部又は全体に編組又は組み込んでなる、ことを特徴としている。
【考案の効果】
【００１６】  本考案に係る、消臭シートは、上記のような特徴的構成要件から構成され、特徴的構成要件に応じた、以下のような本考案特有の効果を奏する。また、上記のような特徴的構成要件から構成された消臭シートによれば、本願考案の課題を十分に解決することができた。即ち、第１の考案によれば、「基材が天然繊維、合成繊維又は両繊維を混紗してなる不織布であり、前記不織布には消臭成分及び／又は香料成分をグラフト重合法による化学的結合により担持させてなる」
という特徴的構成要件により、本考案の第１課題〜第５課題を解決することができた。【００１７】  第２の考案によれば、「基材が天然繊維、合成繊維又は両繊維を混紗してなる不織布であり、前記不織布には消臭成分及び／又は香料成分をグラフト重合法による化学的結合により担持させてなり、前記不織布の底面に両面接着剤を塗布すると共に、前記両面接着剤の下面に剥離シートを貼付してなる」という特徴的構成要件により、本考案の第１課題〜第５課題を解決することができた。【００１８】  第３の考案によれば、「請求項１又は請求項２に記載した消臭シートにあって、前記消臭成分がカルボキシル基又はスルホ基である」という特徴的構成要件により、本考案の第１課題〜第５課題を解決することができた。【００１９】  第４の考案によれば、「請求項２又は請求項３に記載した消臭シートであって、前記消臭シートには所定形状に剥離可能な切取線が刻設されている」という特徴的構成要件により、本考案の第１課題〜第５課題を解決することができた。【００２０】  第５の考案によれば、「請求項２〜請求項４の何れかに記載した消臭シートであって、  前記消臭シートは、所定の巾寸と長さに切断装置によりカットされてテープ状として芯管に巻回されてなる」という特徴的構成要件により、本考案の第１課題〜第５課題を解決することができた。【００２１】  第６の考案によれば、「請求項１又は請求項２に記載された消臭シートであって、
当該消臭シートを衣料品、インテリア用品、スポーツ衣料、寝具類、ぬいぐるみ、介護用品、ペット用品、トイレ用品等の一部又は全体に編組又は組み込んでなる」という特徴的構成要件により、本考案の第１課題〜第５課題を解決することができた。
【図面の簡単な説明】
【００２２】
【図１】本考案に係る、消臭シートの構造を示す模式図である。
【図２】同他の実施形態を示す模式図である。
【図３】図２における消臭シートの実施形態を示す平面図である。
【図４】同消臭シートを所定巾寸のテープ状として所定の長さを芯管に巻回した状態の斜視図である。
【図５】同消臭シートを襟部と腋部に装着した状態を示す正面図である。
【考案を実施するための形態】
【００２３】  図１において、１００は消臭シートで、１０は基材となる不織布であり、天然繊維又は合成繊維を単独、あるいは両繊維を混紗してなるものである。２０は消臭成分で、例えばカルボキシル基又はスルホ基をグラフト重合法により化学的結合により担持させている。消臭シート１００は、繊維に消臭剤を加工する従来の加工法が、繊維に機能を物理的に付着する方法・機能を練り込む方法等と異なり、繊維に消臭機能を強く化学結合させたものである。消臭成分を担持させた繊維１０ａの具体的な例としては、例えばＴＯＲＣＥＲＥ（登録商標）等が好適である。繊維１０ａのグラフト鎖は繊維表面に出ているので、接触効率がよく、アンモニア、酢酸、硫化水素、イソ吉草酸又はノネナール等の各種の悪臭成分を急速に吸収して無臭成分とするものである。また、消臭成分は化学反応により繊維１０ａの構成分子と結合しているので、洗濯、洗浄等により消臭機能が欠落したり、劣化することがほとんどみられない。さらに繊維１０ａは、悪臭成分を化学的に吸着するために温度・湿度等の気候条件に影響されることなく、臭いの再放出がない。また香料やアロマ等の良い香りは残しながら、アンモニア、酢酸又はノネナール等の生活臭だけを軽減する特性も有している。
【００２４】  図２は、消臭シート１００における不織布１０の底面に両面接着剤３０を塗布すると共に、両面接着剤３０の下面には剥離シート４０を貼付した消臭シート２００である。図３は、タテ×ヨコを１ｍ×１ｍの方形状に切断した消臭シート２００を示している。５０は切取線で、水平方向と垂直方向に刻設した状態を図示しているが、このような切取線に限定するものではなく、消臭対象物の形状や大きさ等に応じて円形、曲線状又はその他の形状に刻設することも可能であり、また消臭対象物の大きさ等に応じて切り取る剥離シート４０の大きさも適宜選択して消臭対象物に貼付して使用することができる。
図１及び図２における消臭シート１００及び２００に担持させる消臭成分量は３〜２５ｇ／１ｍ２が好ましい。これにより、本考案の解決しようとする第１課題〜第５課題、特に即効性があり、かつ消臭機能を長期に亘って継続できる消臭シートの提供、及び選択消臭性ある消臭シート、すなわちアンモニア、酢酸又はノネナール等の嫌悪な臭いのみを消臭可能な消臭シートの提供という、第１課題と第２課題を解決することができた。
【００２５】  図４は、消臭シート２００を所定の巾寸、例えば３０ｍｍで長さ３ｍのテープ状として芯管Ｐに巻回した状態を示している。剥離シート４０は切取線５０で消臭対象物の大きさ等に応じて切り取って貼付することができる。また消臭シート１００及び消臭シート２００の不織布１０の底面に両面接着剤３０のみ塗布し、剥離シート４０や切取線５０を省略することも可能であり、消臭シート１００又は消臭シート２００の購入者は、消臭対象物の大きさ、形状等を考慮して、適宜その長さをカッターや鋏でカットして当該対象物に貼着することができる。
【００２６】  図５は、切り取られた消臭シート２００は、例えば、図５に示すシャツＳにおける発汗が多い部位の襟部、脇下又は手首等に貼付して使用すれば、夏季における通勤時の汗臭い臭いから自他共に解放される。
【００２７】  消臭シート１００又は／及び消臭シート２００は、当該消臭シート１００、２００を、図示しないが、例えばポリエステル、レーヨン又はナイロン等の素材を衣料品、インテリア用品、スポーツ衣料、寝具類、ぬいぐるみ、介護用品、ペット用品、トイレ用品等の一部又は全体に編組又は組み込んだ多用途な加工品として製造、販売することができ、臭気発生源ないし発生源近傍に適する形状又は／及び大きさの消臭シートの提供という第３課題、使い勝手がよく、かつ強い消臭力と洗濯耐久性のある消臭シートの提供という第４課題、日常生活における嫌悪な臭いから解放され、快適な生活をもたらす消臭シートの提供という第５課題をことごとく解決することができた。
【符号の説明】
【００２８】  １００、２００…消臭シート、１０…不織布、１０ａ…繊維、２０…消臭成分、３０…両面接着剤、４０…剥離シート、５０…切取線、Ｐ…芯管
0003190172.tif 000003
【手続補正書】
【提出日】平成25年10月5日(2013.10.5)
【手続補正１】
【補正対象書類名】実用新案登録請求の範囲
【補正対象項目名】全文
【補正方法】変更
【補正の内容】
【実用新案登録請求の範囲】
【請求項１】
基材が天然繊維、合成繊維又は両繊維を混紗してなる不織布であり、
前記不織布には消臭成分及び／又は香料成分をグラフト重合法による化学的結合により担持させてなる、
ことを特徴とする消臭シートの構造。
【請求項２】
基材が天然繊維、合成繊維又は両繊維を混紗してなる不織布であり、
前記不織布には消臭成分及び／又は香料成分をグラフト重合法による化学的結合により担持させてなり、
前記不織布の底面に両面接着剤を塗布すると共に、
前記両面接着剤の下面に剥離シートを貼付してなる、
ことを特徴とする請求項１に記載された消臭シートの構造。
【請求項３】
前記消臭成分がカルボキシル基又はスルホ基であることを特徴とする、請求項１又は請求項２に記載された消臭シートの構造。
【請求項４】
前記消臭シートには所定形状に剥離可能な切取線が刻設されている、
ことを特徴とする請求項２又は請求項３に記載された消臭シートの構造。
【請求項５】
前記消臭シートは、所定の巾寸と長さに切断装置によりカットされてテープ状として芯管に巻回されてなることを特徴とする、請求項２〜請求項４の何れかに記載された消臭シートの構造。
【請求項６】
前記請求項１に又は請求項２に記載された消臭シートの構造であって、
当該消臭シートを衣料品、インテリア用品、スポーツ衣料、寝具類、ぬいぐるみ、介護用品、ペット用品、トイレ用品等の一部又は全体に編組又は組み込んでなる、
ことを特徴とする、消臭シートの加工品。
【手続補正２】
【補正対象書類名】図面
【補正対象項目名】全図
【補正方法】追加
【補正の内容】
【図１】
0003190172.tif 000004
【図２】
0003190172.tif 000005
【図３】
0003190172.tif 000006
【手続補正書】
【提出日】平成26年1月23日(2014.1.23)
【手続補正１】
【補正対象書類名】実用新案登録請求の範囲
【補正対象項目名】全文
【補正方法】変更
【補正の内容】
【実用新案登録請求の範囲】
【請求項１】
基材が天然繊維、合成繊維又は両繊維を混紗してなる不織布であり、
前記不織布には消臭成分及び／又は香料成分をグラフト重合法による化学的結合により担持させてなる、
前記不織布の底面に両面接着剤を塗布すると共に、
前記両面接着剤の下面に剥離シートを貼付してなる、
ことを特徴とする消臭シートの構造。
【請求項２】
前記消臭成分がカルボキシル基又はスルホ基であることを特徴とする、請求項１に記載された消臭シートの構造。
【請求項３】
前記消臭シートには所定形状に剥離可能な切取線が刻設されている、
ことを特徴とする請求項１又は請求項２に記載された消臭シートの構造。
【請求項４】
前記消臭シートは、所定の巾寸と長さに切断装置によりカットされてテープ状として芯管に巻回されてなることを特徴とする、請求項１〜請求項３の何れかに記載された消臭シートの構造。
【請求項５】
前記請求項１に又は請求項２に記載された消臭シートの構造であって、
当該消臭シートを衣料品、インテリア用品、スポーツ衣料、寝具類、ぬいぐるみ、介護用品、ペット用品、トイレ用品等の一部又は全体に編組又は組み込んでなる、
ことを特徴とする、消臭シートの加工品。
【手続補正２】
【補正対象書類名】明細書
【補正対象項目名】００２２
【補正方法】変更
【補正の内容】
【００２２】
【図１】本考案に係る、消臭シートの構造を示す模式図である。
【図２】同他の実施形態を示す模式図である。
【図３】図２における消臭シートの実施形態を示す平面図である。